(57)【要約】      （修正有）【課題】天災地震が発生した時に、家の中に住んでいても、家財道具等の倒壊から身体を守れ、端部補強した網目状のものを半円筒にし、１ユニットが、長さ７０ｃｍを基準と成形し、連結することにより、長さを調節可能にしたホームシェルターの提供。【解決手段】１は耐久性と強度がある樹脂製等適宜素材にて一体化形成されたメッシュ状の防護カバー、２は１を補強する為の支柱で直線から頂上部にかけて、半円状に形成されたもので、素材は１と同等である。３及び４は１と２の結合に使用し、一体化を強める為の接続成形梁で素材は１と同等です。５は２の脚を安定させる為に振れ止めバーとする、素材は１と同等。６はユニットの接続に使用するもので、６は支柱脚部用の差込角バーである。【選択図】図２
0003119420.tif 000002
【実用新案登録請求の範囲】
【請求項１】
地震による激しい揺れが発生し家財道具等が倒れこんでも、身体を天災から守る手段として、半円筒を本体とし、当該半円筒の両端部には長方形の断面をした力骨が半円状に設けられ、中央部は網目状のものを使用し当該力骨に沿って留めたものを１ユニットとすることが特徴。その、１ユニットを３ユニット連結することが出来る、全長の調節可能な、安心ホームシェルターである。
【考案の詳細な説明】
【技術分野】
【０００１】  本考案は、寝ている時に身体を外圧から護る為のカバー工法です。
【背景技術】
【０００２】  布団敷き、あるいはベットを使用して寝るときは身体に掛けるものがやわらかく軽い布製ですので、外圧からは身体を護れない。
【考案の開示】
【考案が解決しようとする課題】
【０００３】  寝るときに身体に掛けるものをやわらかく、軽いものに強度を持たせる方法で、外圧から身体を護ることは技術的に不可能と思われるので、従来の掛け布団のままで、耐圧シェルターを使用することにより、前述の問題を解決するものである。
【課題を解決するための手段】
【０００４】  本考案は、天災等から身体を護る為に、半円筒状の耐圧シェルターを形成したもので、円形の断面を備えた耐圧シェルターは外圧を分散する性質を持ち、軽量の素材等を使うことが出来る、それゆえ、寝る時には簡単に耐圧シェルターを設置できる。
【考案の効果】
【０００５】  上述の様に、本考案の耐圧シェルターは天災の地震等から揺れによる家具倒壊から、身体を守ることはもとより、生活のサイクルでは寝る、起きることが繰り返しますから、常に不安を感じている人には、耐圧シェルター内で寝ることに、精神的な安心感を与えます。
【考案を実施するための最良の形態】
【０００６】  耐圧シェルター本体は半円筒状で両下端部から垂直に支柱を形成し、頂上部と両側部には補強する為につなぎバーで、半円筒状の両端部に取り付けしたものが、１ユニットである。ユニットを数台連結することにより、全長を調節可能とした。また、分割することにより、ユニットが小さくなりますから、移動したり、運搬に関しては、容易になり、狭い場所に保管でき、利便性が良くなる。
【実施例】
【０００７】  以下、添付図面に従って一実施例を説明する。１は耐久性と強度がある樹脂製等適宣素材にて一体化形成されたメッシュ状の防護カバー、２は１を補強する為の支柱で直線から頂上部にかけて、半円状に形成されたもので、素材は１と同等である。３及び４は１と２の結合に使用し、一体化を強める為の接続成形梁で素材は１と同等です。５は２の脚を安定させる為に振れ止めバーとする、素材は１と同等。６と７はユニットの接続に使用するもので、６は支柱脚部用の差込角バー、７は支柱頂上部用の、  コの字かぎ型バーである。８は支柱頂上部の接合用差込バーで補強するものである。
【産業上の利用可能性】
【０００８】  本考案の一実施例は上述の構成からなるものでありますから、特に地震の揺れから起こる家具等の倒壊より、身体を護る事と、安心して眠れますので、精神的に不安を取り除いてくれます。
【図面の簡単な説明】
【０００９】
【図１】本考案の安心ホームシェルターの一実施例を示す断面図である。
【図２】本ホームシェルターの平面図である。
【符号の説明】
【０００１０】１  メッシュ状の防護カバー
２  成形支柱
３  上部接続成形梁
４  下部接続成形梁
５  振れ止めバー
６  差込角バー
７  コの字かぎ型バー
８  接合用差込バー
【図１】
0003119420.tif 000003
【図２】
0003119420.tif 000004
【手続補正書】
【提出日】平成17年11月1日(2005.11.1)
【手続補正１】
【補正対象書類名】実用新案登録請求の範囲
【補正対象項目名】全文
【補正方法】変更
【補正の内容】
【実用新案登録請求の範囲】
【請求項１】
「地震による激しい揺れが発生し家財道具等が倒れても、身体を天災から守る手段において、
（１）  半円筒状の形体で両端部に力骨を設け柱及び梁の役目としたもの、
（２）  半円状の筒は網目状のものを使用し当該力骨に固定したもの、
（３）  １つの本体をユニットにし長さの調節が出来る接続可能なもの、
以上の構成からなる安心ホームシェルター。」
【手続補正２】
【補正対象書類名】明細書
【補正対象項目名】全文
【補正方法】変更
【補正の内容】
【考案の詳細な説明】
【技術分野】
【０００１】  本考案は、寝ている時に身体を天災から護る為のシェルターです。
【背景技術】
【０００２】  布団敷き、あるいはベットを使用して寝るときは身体に掛けるものがやわらかく軽く強度が無い為、天災からは身体を護れない。
【考案の開示】
【考案が解決しようとする課題】
【０００３】  寝るときに身体に掛けるものは、軽いものなので、強度を持たせることが不可能、と思われるので、従来の掛け布団のままで、ホームシェルターを使用することにより、前述の問題を解決するものである。
【課題を解決するための手段】
【０００４】  本考案は、天災等から身体を護る為に、半円筒状のシェルターを形成したもので、円は外圧を分散する性質を持ち、軽量の素材等を使うことが出来る、それゆえ、寝る時には容易にシェルターを掛け布団に設置できる。
【考案の効果】
【０００５】  上述の様に、本考案のホームシェルターは天災の地震等から揺れによる家具倒壊から、身体を守ることはもとより、生活のサイクルでは寝る、起きることが繰り返しますから、精神的に不安を感じている人には、ホームシェルター内で寝ることに安心感を与えます。
【考案を実施するための最良の形態】
【０００６】  ホームシェルター本体は半円筒状で両下端部から柱と梁を形成し、頂上部と両側部には補強する為に繋ぎバーを用いに柱と梁に取り付けしたものが１つのユニットである。ユニットを数台連結することにより、長さを調節可能とした。
分割できるので、移動に関しては容易になり、狭い場所でも、利便性が良くなる。
【実施例】
【０００７】  以下、添付図面に従って一実施例を説明する。１は耐久性と強度がある樹脂製等適宣素材にて一体化形成されたメッシュ状の防護カバー、２は１を補強する為の支柱と梁で、直線から頂上部にかけて、半円状に形成されたもので、素材は１と同等である。３及び４は１と２の固定に使用し、一体化を強める為の繋ぎ梁で素材は１と同等です。５は２の端部を安定させる繋ぎバーとする、素材は１と同等。６と７と８は１つのユニットを連結に使用するもので、６は支柱の差込角バー、７と８は梁のコの字型バーを用いるています。
【産業上の利用可能性】
【０００８】  本考案の一実施例は上述の構成からなるものでありますから、地震時の強い揺れから起こる家具等の倒壊より身体を護る事と、安心して眠れますので、精神的な不安を取り除いてくれます。
【図面の簡単な説明】
【０００９】
【図１】本考案の安心ホームシェルターの一実施例を示す断面図である。
【図２】本ホームシェルターの鳥瞰図である。
【符号の説明】
【０００１０】１  メッシュ状の防護カバー
２  成形支柱＆梁
３  上部繋ぎ成形梁
４  下部繋ぎ成形梁
５  繋ぎバー
６  連結差込角バー
７  連結コの字型バー
８  連結コの字型バー
【手続補正３】
【補正対象書類名】図面
【補正対象項目名】全図
【補正方法】変更
【補正の内容】
【図１】
0003119420.tif 000005
【図２】
0003119420.tif 000006